(57)【要約】【課題】ネットワーク素子を備えるスピーカ装置において、限られた空間にスピーカ装置を配置する場合にも磁気回路から他の部材に振動が伝搬するのを抑止し、不要な音が発生することを抑止できる。【解決手段】スピーカ装置１は、静止部２、ボイスコイル３０を備え静止部２に支持される振動体３、ヨーク４０を有する磁気回路４を備え、静止部２は、第１の静止部２０と、樹脂部材で構成される第２の静止部２１とを備え、嵌合部２０Ａを有する第１の静止部２０は、第２の静止部２１に対して振動体３側に配置され、被嵌合部２１Ａを有する第２の静止部２１は、ボイスコイル３０に接続されるネットワーク素子５及びネットワーク端子６を支持し、ヨーク４０は、第１の静止部２０と第２の静止部２１にて支持されており、ネットワーク端子６の板状部材６Ａは、ヨーク４０の底面部４０Ａに対面する第２の静止部２１の底面部２１Ｂの内部に配置されて、第２の静止部２１の底面部２１Ｂの内側から外周部２１Ｃに向かって延在する。【選択図】図１
2012212995.tif 000002
【特許請求の範囲】
【請求項１】
静止部、ボイスコイルを備え前記静止部に支持される振動体、ヨークを有する磁気回路を備え、
前記静止部は、第１の静止部と第２の静止部とを備え、
前記第１の静止部は、前記第２の静止部に対して前記振動体側に配置され、
前記第２の静止部は、前記ボイスコイルに接続されるネットワーク素子及びネットワーク端子を備え、
前記ヨークは、前記第１の静止部と前記第２の静止部にて支持されており、
前記ネットワーク端子の板状部材は、前記ヨークの底面部に対面する前記第２の静止部の底面部に配置されて、前記第２の静止部の底面部の内側から外周部に向かって延在することを特徴とするスピーカ装置。
【請求項２】
前記第２の静止部は、樹脂部材で構成された底面部と外周部とを備え、
嵌合部を有する前記第１の静止部が被嵌合部を有する第２の静止部に嵌合し、
前記ネットワーク端子の板状部材は、前記第２の静止部の底面部および外周部の内部に配置されていることを特徴とする請求項１に記載のスピーカ装置。
【請求項３】
前記ネットワーク端子の板状部材を有する前記第２の静止部は、剛性を備えることを特徴とする請求項２に記載のスピーカ装置。
【請求項４】
前記第２の静止部の底面部は、当該第２の静止部の径方向又は周方向に沿って、規定の長さを有する複数の補強部を備えることを特徴とする請求項３に記載のスピーカ装置。
【請求項５】
前記ヨークは、前記第２の静止部の補強部にて直接又は他の部材を介して支持されており、
前記ヨークと前記第２の静止部は、前記第２の静止部の複数の補強部の間に、空間を構成することを特徴とする請求項４に記載のスピーカ装置。
【請求項６】
前記第２の静止部の底面部は、前記複数の補強部の間に配置される孔部を備え、
前記孔部を介して、前記第２の静止部と前記ヨークとで構成される前記空間と外部は連通することを特徴とする請求５に記載のスピーカ装置。
【請求項７】
前記ネットワーク端子の板状部材は、前記振動体のボイスコイルと外部とを電気的に接続する配線であることを特徴とする請求項６に記載のスピーカ装置。
【請求項８】
前記第１の静止部の外周部および前記第２の静止部の外周部はフランジ部を備え、
前記嵌合部は、前記第１の静止部のフランジ部に設けられており、
前記被嵌合部は、前記第２の静止部のフランジ部に設けられ、
前記第２の静止部のフランジ部は、前記被嵌合部の外側に嵌合解除規制部を備えることを特徴とする請求項７に記載のスピーカ装置。
【請求項９】
前記第２の静止部は、前記ヨークの内周部を通過する柱部を備え、
前記ボイスコイルから引き出される引出線は、前記柱部が備える複数の引出線通路を通過しており、
前記第２の静止部の底面部から外部へ突出する前記ネットワーク端子の一部は、前記引出線の一部に接続していることを特徴とする請求項８に記載のスピーカ装置。
【請求項１０】
前記ネットワーク素子は、前記磁気回路の外側であって、前記第２の静止部のフランジ部と外周部とで構成される凹部に配置されることを特徴とする請求項９に記載のスピーカ装置。
【請求項１１】
前記磁気回路は、内周筒状部と外周筒状部と底面部とを有する前記ヨークと、環状の磁石と、環状のプレートとを備え、
前記プレートと前記内周筒状部との間には内側磁気ギャップが設けられ、前記プレートと前記外周筒状部との間には外側磁気ギャップが設けられていることを特徴とする請求項１０に記載のスピーカ装置。
【請求項１２】
前記振動体は、前記ボイスコイルとしての第１のボイスコイルと、ドーム状の形状を有する第１の振動板と、環状の形状を有する第２の振動板、第１のダンパとを備え、
前記第１のボイスコイルと前記第１の振動板と前記第２の振動板とが互いに連結しており、
前記第２の振動板は、凹状の第１のエッジを介して、前記プレートに支持され、
前記第１のボイスコイルは、前記第１のダンパを介して前記プレートに支持されることを特徴とする請求項１１に記載のスピーカ装置。
【請求項１３】
前記プレートの上には、ホーン部が設けられており、
前記ホーン部の内側には、前記第１の振動板と前記第２の振動板が配置されていることを特徴とする請求項１２に記載のスピーカ装置。
【請求項１４】
前記振動体は、前記ホーン部の外側に配置される第２のボイスコイル、第３の振動板、第２のダンパを備え、
前記第２のボイスコイルと前記第３の振動板と前記第２のダンパが互いに連結しており、
前記第３の振動板は、凸状の第２のエッジを介して、前記第１の静止部に支持され、
前記第２のボイスコイルは、前記第２のダンパを介して前記第１の静止部に支持されることを特徴とする請求項１３に記載のスピーカ装置。
【請求項１５】
静止部、当該静止部に支持される振動体、ヨークを有する磁気回路とを備え、
前記磁気回路は、前記静止部に支持されており、
前記静止部は、第１の静止部と、当該第１の静止部に対して前記磁気回路側に配置される第２の静止部とを備え、前記第１の静止部と前記第２の静止部は互いに連結されており、
前記第２の静止部は、前記ヨークの内周部を通過する柱部と、前記ヨークを支持する底面部と、外周部とを備え、
前記第２の静止部の柱部は、前記振動体のボイスコイルから引き出される引出線を、当該柱部の内側に配置する引出線通路を備え、
前記引出線と外部とを電気的に接続するネットワーク端子の一部は、前記第２の静止部の底面部および外周部の内部に配置されており、
前記引出線は、第２の静止部の底面部から突出する前記ネットワーク端子の一部と電気的に接続され、
前記ネットワーク端子の一部が内部に配置される前記第２の静止部は、剛性を備えることを特徴とするスピーカ装置。
【請求項１６】
請求項１又は請求項１５に記載のスピーカ装置を備える自動車。
【発明の詳細な説明】
【技術分野】
【０００１】
本発明は、スピーカ装置に関するものである。
【背景技術】
【０００２】
下記特許文献１には、磁気ギャップを形成する磁気回路と、磁気ギャップ内に配置されるボイスコイルと、振動板と、磁気回路と振動板を支持するフレームとを備え、フレームにコンデンサーが設けられたスピーカ装置が記載されている。
【先行技術文献】
【特許文献】
【０００３】
【特許文献１】特開平０８−９８２９６号公報
【発明の概要】
【発明が解決しようとする課題】
【０００４】
自動車のドアの内部など、スピーカ装置が設置される空間は規定されている場合がある。例えば、前述した従来技術のようなスピーカ装置を設置する場合、室内の規定された空間に対して、スピーカ装置が備えるコンデンサーや磁気回路を如何に配置するかが問題になる。また、例えば、複数のボイスコイルを備えるスピーカ装置は、コンデンサーを含む複数のネットワーク素子を備える場合がある。これら複数のボイスコイルと複数のネットワーク素子とを電気的に接続する場合に配線の接続が複雑化する場合がある。
【０００５】
一方、スピーカ装置の磁気回路はボイスコイルの電磁気力の反作用により振動する。このため、この磁気回路にスピーカ装置を構成する他の部材が接触している場合、他の部材が磁気回路の振動によって不要な振動を生じる場合がある。
【０００６】
本発明は、このような問題に対処することを課題の一例とするものである。すなわち、ネットワーク素子を備えるスピーカ装置を、規定の空間内に配置すること、空間ボイスコイルと複数のネットワーク素子との電気的な接続を簡易にすること、磁気回路の振動がスピーカ装置を構成する他の構成部材に伝播することを抑止すること、等が本発明の目的である。
【課題を解決するための手段】
【０００７】
このような目的を達成するために、本発明によるスピーカ装置は、以下の構成を少なくとも具備するものである。
【０００８】
静止部、ボイスコイルを備え前記静止部に支持される振動体、ヨークを有する磁気回路を備え、前記静止部は、第１の静止部と第２の静止部とを備え、前記第１の静止部は、前記第２の静止部に対して前記振動体側に配置され、前記第２の静止部は、前記ボイスコイルに接続されるネットワーク素子及びネットワーク端子を備え、前記ヨークは、前記第１の静止部と前記第２の静止部にて支持されており、前記ネットワーク端子の板状部材は、前記ヨークの底面部に対面する前記第２の静止部の底面部に配置されて、前記第２の静止部の底面部の内側から外周部に向かって延在することを特徴とするスピーカ装置。
【図面の簡単な説明】
【０００９】
【図１】本発明の一実施形態に係るスピーカ装置の全体構成を示した部分断面図である。
【図２】本発明の一実施形態に係るスピーカ装置の振動体と磁気回路の構造例を示した説明図である。
【図３】本発明の一実施形態に係るスピーカ装置を背面側からみた斜視図である。
【図４】本発明の一実施形態に係るスピーカ装置を背面側からみた斜視図である。
【図５】本発明の一実施形態に係るスピーカ装置を側面側からみた斜視図である。
【図６】本発明の一実施形態に係るスピーカ装置において第１の静止部に第２の静止部を嵌合する取付構造を説明する説明図である。
【図７】本発明の一実施形態に係るスピーカ装置において、第１のボイスコイル及び第２のボイスコイルから引き出される引出線の配線構造を示した説明図である。
【発明を実施するための形態】
【００１０】
以下、図面を参照しながら本発明の実施形態を説明する。図１は本発明の一実施形態に係るスピーカ装置の全体構成を示した部分断面図である。図２スピーカ装置の振動体と磁気回路の構造例を示した説明図である。図３及び図４はスピーカ装置を背面側からみた斜視図である。図５はスピーカ装置を側面側からみた斜視図である。
【００１１】
スピーカ装置１は、静止部２と振動体３と磁気回路４を備えている。静止部２、振動体３、磁気回路４は、スピーカ装置１を構成する部材である。静止部２は、振動体３を支持して振動体３の静止位置の基準となる部位であり、振動体３に対して相対的に静止している部位である。静止部２自体は振動体３の振動が伝播して振動することがあり、スピーカ装置１全体が振動する場合には静止部２も振動する。静止部２は、振動体３を支持するフレームに相当する第１の静止部２０と、この第１の静止部２０に取り付けられる第２の静止部２１とを備えている。振動体３は、静止部２に支持され、ボイスコイル３０、振動板３１、ダンパ３２、エッジ３３を備える。磁気回路４は、ボイスコイル３０に駆動力を生じさせる磁気的空間（磁気ギャップ）を備えるものであり、ヨーク４０、磁石４１、プレート４２を備える。図示の例では振動体３の前面側又は音響放射側にカバー部材９が取り付けられている。
【００１２】
スピーカ装置１の第１の静止部２０は嵌合部２０Ａを有しており、第２の静止部２１に対して振動体３側に配置されている。第２の静止部２１は樹脂部材で構成され、第１の静止部２０の嵌合部２０Ａが嵌合する被嵌合部２１Ａを有する。前述したように第１の静止部２０は振動体３を支持しており、第２の静止部２１はボイスコイル３０に接続するネットワーク素子５とネットワーク端子６を支持している。
【００１３】
ネットワーク端子６は、ネットワーク素子５とボイスコイル３０とを電気的に接続する端子部、ネットワーク素子５と外部とを電気的に接続する端子部の一方又は双方を備える。ネットワーク端子６は、銅やアルミ二ウム等の金属部材で構成される。ネットワーク素子５として、例えば、コンデンサー、抵抗素子、チョークコイル等が挙げられる。
【００１４】
なお、第２の静止部２１は、その全体が樹脂部材で構成されていても、一部のみが樹脂部材で構成されていても構わない。例えば、第２の静止部２１は、その一部が金属部材で構成され、他の一部が樹脂部材で構成される場合が挙げられる。この場合、第２の静止部２１の有する面のうち、ネットワーク素子５又はネットワーク端子６と対面する側の面には、例えば樹脂部材などの絶縁部材が設けられている。このように、第２の静止部２１は、その一部が金属等で構成され、他の一部が絶縁部材又は樹脂部材で構成される場合がある。また、第２の静止部２１は、ネットワーク素子５又はネットワーク端子６との電気的な接続を抑止しながら、後述する磁気回路４（ヨーク４０）を支持する。
【００１５】
磁気回路４のヨーク４０は第１の静止部２０と第２の静止部２１の両方に支持されている。また、磁気回路４のヨーク４０は、直接又は接着剤等の他の部材を介して第１の静止部２０と第２の静止部２１に連結している。第２の静止部２１は、底面部２１Ｂと外周部２１Ｃとを備える筒形状を備えており、その内側に磁気回路４が配置されている。一方、ネットワーク端子６は板状部材６Ａを備えており、この板状部材６Ａは、ヨーク４０の底面部４０Ａに対面する第２の静止部２１の底面部２１Ｂの内部に配置されている。第２の静止部２１全体が樹脂部材で構成される場合には、インサート成形などの公知の成形手段を用いて、例えば金属部材で構成されるネットワーク端子６が第２の静止部２１の内部に配置される。この板状部材６Ａは、第２の静止部２１の底面部２１Ｂの内側から外周部２１Ｃに向かって延在している。また、ネットワーク端子６の板状部材６Ａは、第２の静止部２１の底面部２１Ｂおよび外周部２１Ｃの内部に配置されていても構わない。ネットワーク端子６は第２の静止部２１の底面部２１Ｂにおいて外部に突出する突出部６Ｂを有する。この突出部６Ｂは、前述したネットワーク端子６の端子部となる。
【００１６】
スピーカ装置１が備える第１の静止部２０は、振動体３や磁気回路４を支持している。スピーカ装置１が備える第２の静止部２１は、ネットワーク素子５やネットワーク端子６を支持する。これら第１の静止部２０と第２の静止部２１は互いに分離可能な構成を備えている。このため、簡易にネットワーク素子５の接続や、スピーカ装置１の組み立てを行うことができる。また、ネットワーク端子６が第２の静止部２１を構成する部材になることで、第２の静止部２１の剛性が向上する。これによって、磁気回路４の振動が第２の静止部２１に伝播することを抑止できる。第２の静止部２１の剛性を高めることで、磁気回路４の振動がスピーカ装置１を構成する部材やスピーカ装置１に取り付けられる被取付部材（自動車のドア等）に伝播することを抑止でき、不要な異音が生じることを抑止できる。このため、スピーカ装置１は良好な音響特性を提供することができる。
【００１７】
図示の例では、第２の静止部２１は磁気回路４のヨーク４０の近傍に配置され、その一部がヨーク４０に直接又は接着剤等の他の部材を介して連結している。ネットワーク端子６を第２の静止部２１を構成する部材にすることで、ヨーク４０の近傍における第２の静止部２１が剛性を備え、磁気回路４０の振動がスピーカ装置を構成する部材やスピーカ装置に取り付けられる被取付部材に伝搬することを抑止できる。この際、ネットワーク端子６の板状部材６Ａ自体が剛性を有することで、板状部材６Ａが内部に配置される第２の静止部２１が剛性を備える。
【００１８】
図示の例に従って第２の静止部２１の底面部２１Ｂの構造を更に詳しく説明する。第２の静止部２１の底面部２１Ｂは、第２の静止部２１の径方向又は周方向に沿って、規定の長さを有する複数の補強部２１Ｂ１を備える。この補強部２１Ｂ１は、底面部２１Ｂの突起状部として、底面部２１Ｂにおけるヨーク４０と対面する側の面に設けられる。ヨーク４０は、第２の静止部２１の補強部２１Ｂ１にて直接又は接着剤等の他の部材を介して支持されている。より具体的には、補強部２１Ｂ１の頂部がヨーク４０の底面部４０Ａに直接又は接着剤等の他の部材を介して連結することで、ヨーク４０が補強部２１Ｂ１に支持されている。また、補強部２１Ｂ１の頂部と、ヨーク４０の底面部４０Ａとの間に接着剤等を配置して、ヨーク４０が補強部２１Ｂ１に間接的に支持されていても構わない。また、複数の補強部２１Ｂ１との間には、所定の間隙が設けられている。これにより、ヨーク４０と第２の静止部２１との間には、第２の静止部２１の複数の補強部２１Ｂ１間に、空間Ｓを構成している。
【００１９】
このような第２の静止部２１の底面部２１Ｂの構造によると、補強部２１Ｂ１が底面部２１Ｂに設けられていることによって、第２の静止部２１の底面部２１Ｂの剛性が比較的大きくなる。また、ヨーク４０に接触する底面部２１Ｂの接触面を比較的小さくすることで、ヨーク４０から伝わる振動が底面部２１Ｂ側に伝わるのを抑止できる。また、補強部２１Ｂ１によってヨーク４０の底面部４０Ａと底面部２１Ｂとの間に空間Ｓが設けられることで、ヨーク４０の振動が第２の静止部２１に伝わること、ボイスコイル３０のジュール熱がヨーク４０を介して第２の静止部２１に伝わるのを抑止することができる。
【００２０】
また、第２の静止部２１の底面部２１Ｂは、複数の補強部２１Ｂ１の間に配置される孔部２１Ｂ２を備えている。この孔部２１Ｂ２を介して、第２の静止部２１とヨーク４０とで構成される空間Ｓと外部は連通している。この孔部２１Ｂ２を介して空間Ｓ内の空気と外部の空気とが出入りすることで、ボイスコイル３０のジュール熱又はネットワーク端子６のジュール熱などにより生じた磁気回路４内の熱を外部に放出することができる。
【００２１】
図１〜図３に示した例は、ネットワーク端子６の板状部材６Ａを樹脂部材で構成された第２の静止部２１の内部に配置した例である。これに対して、図４に示した例は、前述した第２の静止部となるネットワーク端子６を露出させた状態を示している。この例では、複数のネットワーク端子６である、第１のネットワーク端子６１、第２のネットワーク端子６２、第３のネットワーク端子６３が、第２の静止部になっている。この第１のネットワーク端子６１、第２のネットワーク端子６２、第３のネットワーク端子６３は、必要に応じて絶縁部材を介して磁気回路４などの金属部材に連結している。
【００２２】
図４に示した例では、第１のネットワーク端子６１は、ネットワーク素子５の配線５Ａが電気的に接続される端子部６１Ｂ（６１Ｂ１）、第１のボイスコイル３０Ａの引出線８が電気的に接続される端子部６１Ｂ（６１Ｂ２）を備える。これら端子部６１Ｂ（６１Ｂ１，６１Ｂ２）は、磁気回路４の底面部側に設けられている。第１のネットワーク端子６１の一部である板状部材６１Ａ（６１Ａ１）は、磁気回路４の底面部側に設けられる端子部６１Ｂ（６１Ｂ１，６１Ｂ２）から、第１の静止部２０の外周部におけるフランジ部２０Ｂに向かって（径方向に）延びている。また、第１のネットワーク端子６１は、板状部材６１Ａ１と板状部材６１Ａ２との間に、第１の静止部２０の形状に沿う屈曲部を備えている。また、他の一部分である板状部材６１Ａ（６１Ａ２）は、第１の静止部２０の外周部におけるフランジ部２０Ｂに沿って延び端子部６１Ｂ（６１Ｂ３）に連結している。この端子部６１Ｂ（６１Ｂ３）は、第２のボイスコイル３０Ｂの引出線８が電気的に接続される端子部である。また、他の一部の板状部材６１Ａ（６１Ａ３）は、第１の静止部２０の外周のフランジ部２０Ｂに沿って周方向に延び、外部からの配線が接続される端子部６１B（６１Ｂ４）に連結している。
【００２３】
図４に示した例の第２のネットワーク端子６２において、板状部材６２Ａが、磁気回路４の底面部側における端子部６２Ｂ（ネットワーク素子５の配線５Ａが接続する端子部６２Ｂ１と第１のボイスコイル３０Ａの引出線８が接続される端子部６２Ｂ２）から、第１の静止部２０の外周部におけるフランジ部２０Ｂに向かって（径方向に）延びて、ネットワーク素子５の配線５Ａが電気的に接続される端子部６２Ｂ（６２Ｂ３）に連結している。
【００２４】
図４に示した例の第３のネットワーク端子６３は、このネットワーク素子５が電気的に接続される端子部６３Ｂ（６３Ｂ１）から、第１の静止部２０の外周のフランジ部２０Ｂに沿うとともに周方向に延びて、外部の配線が電気的に接続される端子部６３Ｂ（６３Ｂ２）に連結している。端子部６３Ｂ（６３Ｂ１）から端子部６３Ｂ（６３Ｂ２）に延在する板状部材６３Ａは、振動体３のボイスコイル３０と外部とを電気的に接続する配線として用いることもできる。また、板状部材６３Ａはネットワーク素子５を支持している。
【００２５】
このようなネットワーク端子６１，６２，６３は剛性を有する金属等の部材であって、一部でネットワーク素子５を支持しており、前述した第２の静止部を構成している。よって、磁気回路４の底面部を横切っている板状部材６１Ａ，６２Ａは、磁気回路４の振動がスピーカ装置１を構成する他の部材に伝播することを抑止できる。また、板状部材６３Ａは、第１の静止部２０の外周のフランジ部２０Ｂに沿って延在しているので、第２の静止部として曲げ剛性や捩れ剛性を向上できる。
【００２６】
スピーカ装置１の構造を更に詳細に説明する。磁気回路４は、ヨーク４０と磁石４１とプレート４２を備えている。ヨーク４０は内周筒状部４０Ｂと外周筒状部４０Ｃと底面部４０Ａとを有する。また、ヨーク４０は、内周筒状部４０Ｂの内側であって、第２の静止部２１の柱部２１Ｆが挿通される内周部４０Ｄを備える。言い換えれば、内周筒状部４０Ｂは、内周部４０Ｄを備え、内周部４０Ｄは内周筒状部４０Ｂの内側に配置される面に囲まれている。磁石４１は、内周筒状部４０Ｂと外周筒状部４０Ｃの間であって、底面部４０Ａ上に配置されており、環状の形状を備える。プレート４２は、内周筒状部４０Ｂと外周筒状部４０Ｃの間であって、磁石４１の上に配置されており、環状の形状を備える。プレート４２と内周筒状部４０Ｂとの間には内側磁気ギャップ４３が設けられる。また、プレート４０と外周筒状部４０Ｂとの間には外側磁気ギャップ４４が設けられる。
【００２７】
振動体３は、ボイスコイル３０として、第１のボイスコイル３０Ａと第２のボイスコイル３０Ｂを備えており、第１のボイスコイル３０Ａが前述した内側磁気ギャップ４３に配置され、第２のボイスコイル３０Ｂが前述した外側磁気ギャップ４４に配置されている。また、振動体３は、振動板３１とダンパ３２とエッジ３３を備えている。振動板３１は、第１の振動板３１Ａと第２の振動板３１Ｂと第３の振動板３１Ｃを備えている。ダンパ３２は、第１のダンパ３２Ａと第２のダンパ３２Ｂを備えている。エッジ３３は、第１のエッジ３３Ａと第２のエッジ３３Ｂを備えている。第１の振動板３１Ａ、第２の振動板３１Ｂは一体成形されていても構わない。
【００２８】
そして、第１のボイスコイル３０Ａには、ドーム状の形状を有する第１の振動板３１Ａと環状の形状を有する第２の振動板３１Ｂと第１のダンパ３２Ａとが接続されている。或いは、第１のボイスコイル３０Ａと第１の振動板３１Ａと第２の振動板３１Ｂとが互いに連結している。第２の振動板３１Ｂは、凹状の第１のエッジ３３Ａを介してプレート４２に支持され、第１のボイスコイル３０Ａは第１のダンパ３２Ａを介してプレート４２に支持されている。プレート４２の上には、ホーン部４５が設けられており、ホーン部４５の内側には、第１の振動板３１Ａと第２の振動板３１Ｂが配置されている。
【００２９】
第２のボイスコイル３０Ｂには、ホーン部４５の外側に配置される第３の振動板３１Ｃと第２のダンパ３２Ｂが接続されている。第２のボイスコイル３０Ｂと第３の振動板３１Ｃと第２のダンパ３２Ｂとが互いに連結している。第３の振動板３１Ｃは、凸状の第２のエッジ３３Ｂを介して、第１の静止部２０に支持されており、第２のボイスコイル３０Ｂは、第２のダンパ３２Ｂを介して第１の静止部２０に支持されている。
【００３０】
図５及び図６によって、第１の静止部２０に第２の静止部２１を嵌合する取付構造を説明する。第１の静止部２０の外周部はフランジ部２０Ｂを備えている。第１の静止部２０の嵌合部２０Ａは、この第１の静止部２０のフランジ部２０Ｂに設けられている。なお、図示の例では、第１の静止部２０はスピーカ装置１を被取付部材に取り付けるための取付枠部２０Ｃを備え、この取付枠部２０Ｃと前述したフランジ部２０Ｂとが複数の連結部２０Ｄで連結されており、隣接する連結部２０Ｄの間には開口部２０Ｅが形成されている。
【００３１】
また、第２の静止部２１は外周部２１Ｃから外側に張り出したフランジ部２１Ｄを備えている。第２の静止部２１の被嵌合部２１Ａは、この第２の静止部２１のフランジ部２１Ｄに設けられている。また、第２の静止部２１のフランジ部２１Ｄには、複数設けられる被嵌合部２１Ａの間の空間にネットワーク素子５を配置するホルダ部２１Ｈが設けられ、そのホルダ部２１Ｈにネットワーク素子５が取り付けられている。
【００３２】
図示の例では、第１の静止部２０の嵌合部２０Ａが凸状部であり、第２の静止部２１の被嵌合部２１Ａは凸状の嵌合部２０Ａが嵌る開口である。被嵌合部２１Ａの開口には嵌合部２０Ａの全体を挿入可能な開口部分２１Ａ１と嵌合部２０Ａに係合する縁部分２１Ａ２があり、嵌合部２０Ａを被嵌合部２１Ａの開口部分２１Ａ１に挿入して第１の静止部２０に対して第２の静止部２１を回転させることで、嵌合部２０Ａの係合部分２０Ａ１と被嵌合部２１Ａの縁部分２１Ａ２が係合し抜け止め状態になる。第２の静止部２１のフランジ部２１Ｄは、被嵌合部２１Ａの外側に前述した縁部分２１Ａ２に設けられる嵌合解除規制部２１Ｅを備える。この嵌合解除規制部２１Ｅは被嵌合部２１Ａの開口内に突出するように形成されている。この嵌合解除規制部２１Ｅに、嵌合部２０Ａが嵌ることで、第１の静止部２０と第２の静止部２１が外れることを抑止できる。このような取付構造によると、ネジなどを用いることなく第２の静止部２１を第１の静止部２０へ簡易に取り付けることができる。
【００３３】
次に、ネットワーク素子５とボイスコイル３０の接続及びネットワーク素子５の配置について説明する。第２の静止部２１は、ヨーク４０の内周部４０Ｄを通過する柱部２１Ｆを備える。ヨーク４０は中央部分にボイスコイル３０の振動方向に沿って開口部を備え、この開口部が内周部４０Ｄになる。ボイスコイル３０から引き出される複数の引出線８は、ボイスコイル３０の外周側面から、ボイスコイル支持部３０Ａ１に設けられた孔部３０Ａ２を通って、ボイスコイル３０の内側に向かって引き出されている（図７参照）。これら引出線８は、柱部２１Ｆが備える複数の引出線通路２１Ｆ１を通過して、第２の静止部２１の外側に引き出される。そして、引出線８の一部は、第２の静止部２１の底面部２１Ｂから外部へ突出するネットワーク端子６の一部（突出部６Ｂ）に接続している。なお、柱部２１Ｆ全体を樹脂部材で構成しても構わない。或いは引出線８と対面する引出線通路２１Ｆ１の側面に絶縁部材又樹脂部材を設け、柱部２１Ｆの一部を樹脂部材以外の、例えば金属部材等で構成しても構わない。
【００３４】
図７は、第１のボイスコイル３０Ａ及び第２のボイスコイル３０Ｂから引き出される引出線８の配線構造を示した説明図である。図７（ａ）は、第１のボイスコイル３０Ａから引き出される引出線８の配線構造を示している。第１のボイスコイル３０Ａから引き出される引出線８は、第１のボイスコイル３０Ａの内側に引き出され、第２の静止部２１の柱部２１Ｆに設けられる引出線通路２１Ｆ１に挿通される。図示の例では、柱部２１Ｆの頂部には引出線８をガイドするガイド部２１Ｆ２が設けられている。このガイド部２１Ｆ２は、引出線８と電気的な接続を抑止すべく、ガイド部２１Ｆ２全体が樹脂部材で構成されるか、或いは引出線８に対面する面に絶縁部材又は樹脂部材が設けられ、ガイド部材２１Ｆ２の一部は樹脂部材以外の例えば金属部材で構成されている。
【００３５】
図７（ｂ）は、第２のボイスコイル３０Ｂから引き出される引出線８の配線構造を示している。第１の静止部２０に第２のダンパ３２Ｂを介して支持される第２のボイスコイル３０Ｂから引き出される引出線８は、第１の静止部２０における開口部２０Ｅを通って第１の静止部２０の外側に引き出される。第１の静止部２０の外側に引き出された引出線８の一部は、第２の静止部２１に設けられたネットワーク端子６の端子部に電気的に接続される。
【００３６】
このような配線構造によると、ボイスコイル３０（第１のボイスコイル３０Ａ）から引き出される引出線８はボイスコイル３０（第１のボイスコイル３０Ａ）の内側に引き出され、柱部２１Ｆ内の引出線通路２１Ｆ１を通って第２の静止部２１の外側に引き出されており、第２の静止部２１の柱部２１Ｆが引出線通路２１Ｆ１を備えることで、ヨーク４０と引出線８とが接触することを抑止することができる。また、第２の静止部２１がヨーク４０の内周部４０Ｄを通過する柱部２１Ｆを備えることで、第２の静止部２１に対するヨーク４０の位置決めを簡易に行うことができる。
【００３７】
図１，図６，図７に示すように、ネットワーク素子５は、磁気回路４の外側であって、第２の静止部２１のフランジ部２１Ｄと外周部２１Ｃとで構成される凹部２１Ｇに配置される。スピーカ装置１は、振動板３１の口径に対して磁気回路４の外径が小さい場合、或いは磁気回路４がボイスコイルの内側に磁石が配置される内磁型磁気回路である場合には、第１振動板３１Ａの第２の静止部２１側に空間が形成される。第２の静止部２１のフランジ部２１Ｄは、この空間に向けて突出している。フランジ部２１Ｄと外周部２１Ｃとで構成される凹部２１Ｇは、振動板３１の第２の静止部２１側に設けられる空間として形成される。この凹部２１Ｇにネットワーク素子５を配置することで、スピーカ装置１の第２の静止部２１側における空間を空間効率よく利用することができ、規定された空間内にスピーカ装置１を設置する場合であってもネットワーク素子５の配置空間を確保することができる。
【００３８】
このようなスピーカ装置１は車載用としての設置や建築物への設置などが可能である。スピーカ装置１を備える自動車は、自動車のドアなどにスピーカ装置１を取り付ける際、スピーカ装置１を配置する空間は規定される場合がある。しかし、第２の静止部２１のフランジ部２０Ｄの下面側（第１の静止部２０に対して逆側）にネットワーク素子５を配置することで、規定された空間内に、スピーカ装置１を配置することが可能になる。また、ネットワーク端子６を第２の静止部２１の一部にすることで、第２の静止部２１の剛性が向上し、磁気回路４からの振動が第２の静止部２１を介して自動車のドアなどの被取付部材に伝搬するのを抑止できる。これによって、自動車のドアなどから不要な異音の発生を抑止できるので、自動車の室内でスピーカ装置の音響特性を良好にすることができる。
【００３９】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００４０】
１：スピーカ装置，２：静止部，
２０：第１の静止部，
２０Ａ：嵌合部，２０Ｂ：フランジ部，２０Ｃ：取付枠部，２０Ｄ：連結部
２１：第２の静止部，２１Ａ：被嵌合部，
２１Ｂ：底面部，２１Ｂ１：補強部，２１Ｂ２：孔部，
２１Ｃ：外周部，２１Ｄ：フランジ部，２１Ｅ：嵌合解除規制部，
２１Ｆ：柱部，２１Ｆ１：引出線通路，２１Ｇ：凹部，
３：振動体，
３０：ボイスコイル，
３０Ａ：第１のボイスコイル，３０Ｂ：第２のボイスコイル，
３１：振動板，
３１Ａ：第１の振動板，３１Ｂ：第２の振動板，３１Ｃ：第３の振動板，
３２：ダンパ，３２Ａ：第１のダンパ，３２Ｂ：第２のダンパ，
３３：エッジ，３３Ａ：第１のエッジ，３３Ｂ：第２のエッジ，
４：磁気回路，
４０：ヨーク，４０Ａ：底面部，４０Ｂ：内周筒状部，４０Ｃ：外周筒状部，
４０Ｄ：内周部，
４１：磁石，４２：プレート，
４３：内側磁気ギャップ，４４：外側磁気ギャップ，
４５：ホーン部，５：ネットワーク素子，
６：ネットワーク端子，６Ａ：板状部材，
８：引出線，Ｓ：空間
【図１】
2012212995.tif 000003
【図２】
2012212995.tif 000004
【図３】
2012212995.tif 000005
【図４】
2012212995.tif 000006
【図５】
2012212995.tif 000007
【図６】
2012212995.tif 000008
【図７】
2012212995.tif 000009